(57)【要約】【課題】簡単な方法で携帯端末同士で情報を送信する方法を提供することを目的とする。【解決手段】情報送信方法は、送信側にて送信データを２次元コードに変換することと、送信側にて上記２次元コードを表示部に表示することと、受信側にて上記送信側の表示部に表示された２次元コードを読み取ることと、受信側にて上記２次元コードを送信データに復元することと、受信側にて上記復元された送信データを表示部に表示することと、を含む。【選択図】　図１
2004147006.tif 000002
【特許請求の範囲】
【請求項１】
送信側にて送信データを２次元コードに変換することと、送信側にて上記２次元コードを表示部に表示することと、受信側にて上記送信側の表示部に表示された２次元コードを読み取ることと、受信側にて上記２次元コードを送信データに復元することと、受信側にて上記復元された送信データを表示部に表示することと、を含む情報送信方法。
【請求項２】
請求項１記載の情報送信方法において、送信側にて送信データを２次元コードに変換するときに、上記送信データを暗号化し、受信側にて上記２次元コードを送信データに復元するとき、上記暗号を解読することを含む情報送信方法。
【請求項３】
送信データを２次元コードに変換することと、該２次元コードを電子メールの添付ファイルとして送信することと、を含む情報送信方法。
【請求項４】
２次元コードを読み取るための２次元コード読み取り部と、読み取った２次元コードを元のデータに復元するための２次元コード解析部と、上記２次元コード解析部にて復元した元のデータを表示するための表示部と、を有する携帯端末。
【請求項５】
送信データを２次元コードに変換するための２次元コード変換部と、上記送信データを送信するとき上記２次元コードを表示するための表示部と、を有する携帯端末。
【発明の詳細な説明】
【０００１】
【発明の属する技術分野】
本発明は、情報を送信するための情報送信方法に関し、特に、携帯端末の間で情報を送信する方法及び携帯端末に関する。
【０００２】
【従来の技術】
携帯電話から携帯電話へ情報を送信する方法として、例えば、赤外線通信や電子メールを利用した方法がある。図６は赤外線通信を使ってデータを送信する方法を示す。この場合、送信側の携帯端末１０と受信側の携帯端末２０の赤外線通信用の送受光部を向き合わせ、データの送受信を行う。
この方法では、送信側と受信側の携帯端末の赤外線通信用の送受光部を整合させる必要があり、通信を確立するまで、時間を要することが多い。
【０００３】
図７は電子メール使ってデータを送信する方法を示す。この場合、電子メールに送信データを添付する。この方法では、送信側の携帯端末１０と受信側の携帯端末２０が互いに近距離内にある場合でも、わざわざ公共の通信ネットワーク３０を使用する必要があり、効率的でない。
【０００４】
【特許文献１】
特開２００１−１４８０３７号公報
【特許文献２】
特開２００１−２０２４２９号公報
【０００５】
【発明が解決しようとする課題】
上述のように、近距離内にある他の携帯端末に情報を送信する場合、赤外線通信は操作が煩雑であり、電子メールは通信ネットワークを使用しなければならない。
本発明は、簡単な方法によって目の前にある携帯端末に情報を送信する方法を提供することを目的とする。
【０００６】
【課題を解決するための手段】
本発明によると、情報送信方法は、送信側にて送信データを２次元コードに変換することと、送信側にて上記２次元コードを表示部に表示することと、受信側にて上記送信側の表示部に表示された２次元コードを読み取ることと、受信側にて上記２次元コードを送信データに復元することと、受信側にて上記復元された送信データを表示部に表示することと、を含む。
【０００７】
更に、送信側にて送信データを２次元コードに変換するときに、上記送信データを暗号化し、受信側にて上記２次元コードを送信データに復元するとき、上記暗号を解読することを含む。
従って、簡単な方法によって、携帯端末間にて送信データを交信することができる。
【０００８】
本発明によると、情報送信方法は、送信データを２次元コードに変換することと、該２次元コードを電子メールの添付ファイルとして送信することと、を含む。
従って、簡単な方法にて、電子メールの秘匿化ができる。
【０００９】
本発明によると、携帯端末は、２次元コードを読み取るための２次元コード読み取り部と、読み取った２次元コードを元のデータに復元するための２次元コード解析部と、上記２次元コード解析部にて復元した元のデータを表示するための表示部と、を有する。
更に、送信データを２次元コードに変換するための２次元コード変換部と、上記送信データを送信するとき上記２次元コードを表示するための表示部と、を有する。
【００１０】
【発明の実施の形態】
図１を参照して本発明による携帯端末の構成例を説明する。送信側の携帯端末は送信側機能ブロック１００を有し、受信側の携帯端末は受信側機能ブロック２００を有する。勿論、送信側の携帯端末として、送信側機能ブロック１００と受信側機能ブロック２００を備えたものを使用し、受信側の携帯端末として、送信側機能ブロック１００と受信側機能ブロック２００を備えたものを使用してもよい。この場合、両ブロックにて設けられた表示装置及びキー入力装置は単一の表示装置及びキー入力装置によって置き換えられてよい。
【００１１】
尚、以下に、２次元コードとしてＱＲコード（Ｑｕｉｃｋ　　Ｒｅｓｐｏｎｓｅ　　Ｃｏｄｅ）を例に説明するが、本発明は、ＱＲコード以外の２次元コードが用いられてよい。２次元コードには、ＱＲコード、マキシコード、データコード等のマトリックス型とＰＤＦ４１７のようなスタック型があるが、本発明ではどちらでもよい。
【００１２】
送信側機能ブロック１００は、ユーザが送信データ又は命令信号を入力するためのキー入力装置１０１と、送信データをＱＲコードに変換するためのＱＲコード変換部１０２と、送信データを蓄積するためのデータ蓄積部１０３と、ＱＲコードを表示するための表示装置１０４と、を有する。
【００１３】
データ蓄積部１０３は、ＱＲコード変換されていない送信データ又はＱＲコード変換部１０２によってＱＲコード変換された送信データを保存する。ＱＲコード変換部１０２は、キー入力装置１０１によって入力された送信データ又はデータ蓄積部１０３に保存された送信データをＱＲコードに変換する。表示装置１０４は、ＱＲコード変換部１０２によって変換されたＱＲコード又はデータ蓄積部１０３に保存されているＱＲコード変換済みの送信データを表示する。
【００１４】
ＱＲコード変換部１０２によって、送信データをＱＲコードに変換するとき、暗号キーをキー入力装置１０１から入力することによって、送信データを暗号化することができる。
【００１５】
受信側機能ブロック２００は、ＱＲコードを読み取るためのカメラ等の画像読取り部２０１と、読み取ったＱＲコードを元のデータに復元するためのＱＲコード解析部２０２と、読み取ったＱＲコード又は復元したデータを保存するためのデータ蓄積部２０３と、復元したデータを表示するための表示装置２０４と、ユーザが命令信号を入力するためのキー入力装置２０５と、を有する。
【００１６】
ＱＲコード解析部２０２は、画像読取り部２０１から送信されたＱＲコード又はデータ蓄積部２０３に保存されたＱＲコードを解析して元の送信データに変換する。データ蓄積部２０３は、画像読取り部２０１によって読み取られたＱＲコード又はＱＲコード解析部２０２によって復元されたデータを保存する。表示装置２０４は、画像読取り部２０１から送信された又はデータ蓄積部２０３に保存された元の送信データを表示する。
【００１７】
ＱＲコードが暗号化されている場合、ＱＲコード解析部２０２によってＱＲコードを元のデータに復元するとき、暗号キーをキー入力装置２０５から入力することによって暗号が解読される。
【００１８】
図２は送信側の携帯端末の表示装置の画面Ａ１に表示された送信データの例を示す。送信データは、Ｅメールの文面を作成する手順と同様な方法によって作成してよい。画面上の「ＱＲ変換」のボタンＡ３を操作することによって、送信データはＱＲコードに変換される。
【００１９】
図３は送信側の携帯端末の表示装置の画面Ｂ１に表示されたＱＲコードを示す。ＱＲコードはデータ領域Ｂ１１と切り出しシンボルＢ１２を有し、データ領域Ｂ１１はセルＢ１２からなる。画面上の「保存」のボタンＢ３を操作することによって、ＱＲコードは保存される。
【００２０】
図４を参照して、送信側の携帯端末の動作を説明する。ステップＦ１にて、送信データを選択する。次にステップＦ２にて、選択した送信データがＱＲコード化されているかどうかを判定する。ＱＲコード化されている場合には、ステップＦ６にて、このＱＲコードをそのまま表示する。ＱＲコード化されていない場合には、ステップＦ３にて、暗号化するかどうかを選択する。暗号化しない場合には、そのままステップＦ５に進む。暗号化する場合には、ステップＦ４にて、暗号キーを入力し、ステップＦ５に進む。
【００２１】
次にステップＦ５にて、暗号化されていない送信データ又は暗号化された送信データをＱＲコードに変換する。これはＱＲコード変換部１０２によって実行される。ステップＦ６にて、図３に示したように、生成されたＱＲコードを表示し、必要に応じてそれをデータ保存する。
【００２２】
図５を参照して受信側の携帯端末の動作を説明する。ステップＧ１にて、カメラ等の画像読取り部２０１によって送信側の携帯端末の表示装置の画面に表示されたＱＲコードを読込む。ステップＧ２にて、ＱＲコードが暗号化されているか否かを判定する。暗号化されていない場合には、ステップＧ４に進む。暗号化されている場合には、ステップＧ３にて暗号キーが要求され、暗号キーを入力し、ステップＧ４に進む。
ステップＧ４にて、読込んだＱＲコードの逆変換が行われ、元のデータが復元される。ステップＧ５にて、復元されたデータが表示される。必要に応じて復元されたデータを保存する。
【００２３】
本発明の他の例を説明する。送信側にて送信データをＱＲコードに変換する。このＱＲコードを電子メールの添付ファイルとして送信する。こうして、送信データをＱＲコードに変換することにより、簡易な暗号化が達成される。勿論、送信データを暗号化し、暗号化した送信データをＱＲコードに変換し、それを電子メールの添付ファイルとしてもよい。
以上、本発明の例を説明したが、本発明は上述の例に限定されるものではないく、特許請求の範囲に記載された発明の範囲にて様々な変形が可能であることは当業者に理解されよう。
【００２４】
【発明の効果】
本発明によれば、簡単な方法で携帯端末同士にて情報を交信することができる効果がある。
本発明によれば、携帯端末同士で情報を交信する場合、簡単な方法で情報を秘匿化することができる効果がある。
【図面の簡単な説明】
【図１】本発明による携帯端末の構成例を示す図である。
【図２】本発明による携帯端末においてＱＲコード変換前の送信データの例を示す図である。
【図３】本発明による携帯端末において送信データをＱＲコードに変換した画面を示す図である。
【図４】本発明による携帯端末の送信側の動作を説明するための説明図である。
【図５】本発明による携帯端末の受信側の動作を説明するための説明図である。
【図６】従来の携帯電話におけるデータ送信の例を説明するための説明図である。
【図７】従来の携帯電話におけるデータ送信の例を説明するための説明図である。
【符号の説明】
１００…送信機能ブロック部、１０２…ＱＲコード変換部、１０３…データ蓄積部、１０４…表示装置、２００…受信機能ブロック部、２０１…画像読取り部、２０２…ＱＲコード解析部、２０３…データ蓄積部、２０４…表示装置
【図１】
2004147006.tif 000003
【図２】
2004147006.tif 000004
【図３】
2004147006.tif 000005
【図４】
2004147006.tif 000006
【図５】
2004147006.tif 000007
【図６】
2004147006.tif 000008
【図７】
2004147006.tif 000009